(57)【要約】  厚み方向における少なくとも一方の面が光を出射する出光面として形成された面状発光体と、面状発光体に給電を行うための配線板と、面状発光体と配線板を接続する接続部と、配線板の接続部から剥離される方向への変位を規制する変位規制部とを備える。これにより、配線板の接続部から剥離される方向への変位が規制され、配線板が接続部から剥がれ難くされるため、配線板の面状発光体に対する安定した接続状態を確保することができる。
2019073868.tif 000002
【特許請求の範囲】
【請求項１】
厚み方向における少なくとも一方の面が光を出射する出光面として形成された面状発光体と、
前記面状発光体に給電を行うための配線板と、
前記面状発光体と前記配線板を接続する接続部と、
前記配線板の前記接続部から剥離される方向への変位を規制する変位規制部とを備えた
灯具。
【請求項２】
前記配線板は一端部が前記接続部に接続され、
前記変位規制部が前記配線板の前記一端部と他端部の間に位置された
請求項１に記載の灯具。
【請求項３】
前記配線板には前記接続部に接続される接続端子部が設けられ、
前記変位規制部が二つ設けられ、
前記二つの変位規制部は前記接続端子部の両側に位置された
請求項１に記載の灯具。
【請求項４】
前記変位規制部として前記配線板を前記面状発光体に固定する固定部が設けられた
請求項１、請求項２又は請求項３に記載の灯具。
【請求項５】
前記変位規制部として前記配線板に押し当てられる押当部が設けられ、
前記配線板の厚み方向における一方の面が前記接続部に接続され、
前記押当部が前記配線板の厚み方向における他方の面に押し当てられた
請求項１、請求項２又は請求項３に記載の灯具。
【請求項６】
前記面状発光体には厚み方向における一方に開口された凹部が形成され、
前記凹部に前記接続部が位置された
請求項１、請求項２、請求項３、請求項４又は請求項５に記載の灯具。
【発明の詳細な説明】
【技術分野】
【０００１】
本発明は、面状発光体を有する灯具についての技術分野に関する。
【先行技術文献】
【特許文献】
【０００２】
【特許文献１】特開２０１５−２０１３０１号公報
【背景技術】
【０００３】
灯具、例えば、車輌用灯具には面状発光体が用いられたものがある（例えば、特許文献１参照）。面状発光体には、面状発光体に給電を行う配線板が導電性の接続部を介して接続されている。
【発明の概要】
【発明が解決しようとする課題】
【０００４】
面状発光体は配線板に接続された状態で、例えば、面状発光体を厚み方向における両側から保持するホルダー等の保持構造等に組み付けられる。また、配線板は電源回路から配線板に給電を行うためのケーブルの先端部に設けられた給電用コネクターに接続されたり電源回路に接続された回路基板のコネクター部に接続される。従って、保持構造等への組付作業時や給電用コネクター等への接続作業時においても、配線板の面状発光体に対する安定した接続状態が維持されることが望ましい。【０００５】
そこで、本発明は、配線板の面状発光体に対する安定した接続状態を確保することを目的とする。
【課題を解決するための手段】
【０００６】
本発明に係る灯具は、厚み方向における少なくとも一方の面が光を出射する出光面として形成された面状発光体と、前記面状発光体に給電を行うための配線板と、前記面状発光体と前記配線板を接続する接続部と、前記配線板の前記接続部から剥離される方向への変位を規制する変位規制部とを備えたものである。【０００７】
これにより、配線板の接続部から剥離される方向への変位が規制され、配線板が接続部から剥がれ難くされる。【０００８】
上記した灯具においては、前記配線板は一端部が前記接続部に接続され、前記変位規制部が前記配線板の前記一端部と他端部の間に位置されることが望ましい。【０００９】
これにより、配線板が接続部から剥離される方向を剥離方向としたときに、配線板の他端部が剥離方向に変位された場合においても、一端部と他端部の間に位置された変位規制部によって配線板の一端部の剥離方向への変位が規制され、配線板の一端部が接続部から剥がれ難くされる。【００１０】
上記した灯具においては、前記配線板には前記接続部に接続される接続端子部が設けられ、前記変位規制部が二つ設けられ、前記二つの変位規制部は前記接続端子部の両側に位置されることが望ましい。【００１１】
これにより、配線板において接続端子部が二つの変位規制部の間に位置されて、接続端子部の剥離方向への変位が抑制され、接続端子部が接続部から剥がれ難くされる。【００１２】
上記した灯具においては、前記変位規制部として前記配線板を前記面状発光体に固定する固定部が設けられることが望ましい。【００１３】
これにより、固定部によって配線板が面状発光体に固定され、配線板の剥離方向への変位が確実に規制されて、配線板が接続部から剥がれ難くされる。【００１４】
上記した灯具においては、前記変位規制部として前記配線板に押し当てられる押当部が設けられ、前記配線板の厚み方向における一方の面が前記接続部に接続され、前記押当部が前記配線板の厚み方向における他方の面に押し当てられることが望ましい。【００１５】
これにより、配線板は、一方の面が接続部に接続され、他方の面に押当部が押し当てられる。配線板が接続部と反対側の面から押し当てられるため、配線板の剥離方向への変位が抑制されて、配線板が接続部から剥がれ難くされる。【００１６】
上記した灯具においては、前記面状発光体には厚み方向における一方に開口された凹部が形成され、前記凹部に前記接続部が位置されることが望ましい。【００１７】
これにより、接続部が凹部を形成する壁面によって保護されて、配線板と面状発光体を接続する接続構造が保護される。
【発明の効果】
【００１８】
本発明によれば、配線板の接続部から剥離される方向への変位が規制され、配線板が接続部から剥がれ難くされるため、配線板の面状発光体に対する安定した接続状態を確保することができる。
【図面の簡単な説明】
【００１９】
【図１】図２乃至図８と共に本発明灯具の実施の形態を示すものであり、本図は、灯具の構成例を示す斜視図である。
【図２】面状発光体と配線板の接続状態を示す拡大断面図である。
【図３】面状発光体の変形例を示す斜視図である。
【図４】変位規制部の第１の変形例を示す拡大断面図である。
【図５】変位規制部の第１の変形例の別の例を示す拡大断面図である。
【図６】変位規制部の第１の変形例のさらに別の例を示す斜視図である。
【図７】変位規制部の第２の変形例を示す平面図である。
【図８】変位規制部の第２の変形例の別の例を示す斜視図である。
【図９】面状発光体の適用例を示す拡大断面図である。
【図１０】面状発光体の適用例を示す平面図である。
【発明を実施するための形態】
【００２０】
以下に、本発明灯具を実施するための形態について添付図を参照して説明する。
【００２１】
以下に示した実施の形態は、本発明灯具を後方に照明光を照射する車輌用灯具に適用したものである。尚、本発明は、ヘッドランプ、テールランプ、クリアランスランプ、ターンシグナルランプ、ストップランプ、デイタイムランニングランプ、コーナーリングランプ、ハザードランプ、ポジションランプ、バックランプ、フォグランプ又はこれらの組み合わせであるコンビネーションランプ等の各種の車輌用灯具に広く適用することができる。
【００２２】
以下の説明にあっては、光の外部への照射方向を後方として前後上下左右の方向を示すものとする。但し、以下に示す前後上下左右の方向は説明の便宜上のものであり、本発明の実施に関しては、これらの方向に限定されることはない。
【００２３】
＜灯具の構成例＞
以下に、灯具１の構成例について説明する（図１参照）。灯具１は、それぞれ車体の左右両端部に取り付けられて配置されている。灯具１は後方に開口された凹部を有するランプハウジング２とランプハウジング２の開口を閉塞するカバー３とを備えている。ランプハウジング２とカバー３によって灯具外筐４が構成され、灯具外筐４の内部空間が灯室５として形成されている。
【００２４】
灯室５にはランプユニット６が配置されている。ランプユニット６はホルダー７とホルダー７に保持された面状発光体８と面状発光体８に給電を行う配線板９とを有している。
【００２５】
ホルダー７は、第１の保持体１０と第１の保持体１０に結合される第２の保持体１１とを有している。
【００２６】
第１の保持体１０は、後方に凸になるように緩やかに屈曲（湾曲）された第１の挟持部１０ａと第１の挟持部１０ａの左右方向における一端部から前方に突出された第１の突出部１０ｂとを有している。第２の保持体１１は、第１の挟持部１０ａと同じ曲率で後方に凸になるように屈曲された第２の挟持部１１ａと、第２の挟持部１１ａの左右方向における一端部から前方へ突出された第２の突出部１１ｂとを有している。
【００２７】
第１の保持体１０と第２の保持体１１は、第１の挟持部１０ａと第２の挟持部１１ａが面状発光体８を前後から挟持した状態で結合される。面状発光体８は、第１の挟持部１０ａと第２の挟持部１１ａの曲率に沿って屈曲された状態でホルダー７に保持される。また、第１の挟持部１０ａと第２の挟持部１１ａが結合された状態において、第１の突出部１０ｂと第２の突出部１１ｂが略左右方向において結合され、第１の突出部１０ｂと第２の突出部１１ｂの各内面によって配線板９の少なくとも一部が配置される配置空間Ｓが形成される。
【００２８】
面状発光体８は、例えば、透明な一対の樹脂フィルムの間に光源として複数の発光ダイオード（ＬＥＤ：Light Emitting Diode）が配置された屈曲可能なフィルム状の発光体であり、各光源からそれぞれ光が出射される構成にされている。面状発光体８は光源（LED）を除いて透明に形成され、後面が出光面として形成されている。
【００２９】
面状発光体８は、接着層８ａの両側にそれぞれベースフィルム８ｂ、８ｂが積層された積層構造を有している（図２参照）。一方のベースフィルム８ｂの接着層８ａ側の面には導電層８ｃが形成されている。厚み方向において接着層８ａと同一の位置には複数の光源が点在して配置され、複数の光源はバンプ等の電極を介して導電層８ｃに接続されている。
【００３０】
面状発光体８には、前方に開口された凹部８ｄが形成されている。凹部８ｄには、接着層８ａ及び他方のベースフィルム８ｂが存在せず、底面として導電層８ｃの一部が露出されている。凹部８ｄの形成により露出された導電層８ｃの一部は、配線板９に接続される端子部８ｅとして設けられている。
【００３１】
凹部８ｄは面状発光体８の一端部寄りの位置に形成されている。面状発光体８において、凹部８ｄよりも面状発光体８の外周側に位置される部分は接合部８ｆとして設けられている。
【００３２】
配線板９は、例えば、フレキシブルプリント基板であり、一端部９ｘの後面に面状発光体８に接続される接続端子部９ａが設けられ、他端部９ｙにコネクター部９ｂが設けられている。配線板９の中間部分のうち一端部９ｘ寄りの部分は被規制部９ｚとして設けられている。コネクター部９ｂには、配線板９に給電を行うためのケーブルの先端部に設けられた給電用コネクターや電源回路に接続された回路基板のコネクター部が接続される。
【００３３】
配線板９の接続端子部９ａは、導電性の接続部１２によって面状発光体８の端子部８ｅと接続されている。接続部１２としては、例えば、異方性導電フィルム（Anisotropic Conductive Film：ACF）が用いられる。接続部１２は後面が端子部８ｅに接合され前面が接続端子部９ａに接合されている。面状発光体８の各光源には、導電層８ｃ、接続部１２、接続端子部９ａ及びコネクター部９ｂを介して外部の電源（電源回路）から電力が供給される。
【００３４】
灯具１には、配線板９の接続部１２から剥離される方向への変位を規制する変位規制部１３が設けられている。
【００３５】
配線板９は後面に設けられた接続端子部９ａによって接続部１２の前面に接合されているため、配線板９が接続部１２から剥離される剥離方向Ｘとしては、例えば、配線板９を前方へ変位させる方向Ｘ１や配線板９を面状発光体８と平行にずれるように変位させる方向Ｘ２がある。
【００３６】
灯具１には、変位規制部１３として、配線板９を面状発光体８に固定する固定部１４が設けられている。固定部１４は、例えば、接着剤であり、配線板９の中間部分における被規制部９ｚに位置されている。固定部１４は、配線板９の被規制部９ｚを面状発光体８の接合部８ｆに接合することで、配線板９を面状発光体８に固定している。
【００３７】
変位規制部１３が設けられることで、配線板９の剥離方向Ｘへの変位が規制され、配線板９が接続部１２から剥がれ難くされている。従って、面状発光体８と配線板９の安定した接続状態を確保することができる。
【００３８】
また、上記した灯具１においては、変位規制部１３（固定部１４）が配線板９の一端部９ｘと他端部９ｙの間の被規制部９ｚに接合されている。従って、配線板９の他端部９ｙが剥離方向Ｘに変位された場合においても、配線板９の一端部９ｘの剥離方向Ｘへの変位が効果的に規制され、配線板９の一端部９ｘを接続部１２から剥がれ難くすることができる。
【００３９】
さらに、上記した灯具１においては、変位規制部１３として固定部１４が設けられ、固定部１４によって配線板９が面状発光体８に固定されている。固定部１４によって配線板９が面状発光体８に固定されることで、配線板９の剥離方向Ｘへの変位を確実に規制することができる。
【００４０】
さらにまた、配線板９が面状発光体８に接続された状態において、接続部１２は面状発光体８の凹部８ｄに位置されている。従って、接続部１２が凹部８ｄを形成する壁面によって保護されるため、面状発光体８と配線板９を接続する接続構造が保護されて、面状発光体８と配線板９の安定した接続状態を確保することができる。
【００４１】
尚、上記には、面状発光体８に前方に開口された凹部８ｄが形成された例を示したが、凹部８ｄの代わりに、面状発光体８には前方と上下左右の何れか一つ又は二つの方向とに開口された先端凹部８ｇが形成されていてもよい（図３参照）。先端凹部８ｇは、例えば、前方と右方の２方向や前方と右方と上方の３方向に開口されて形成される。先端凹部８ｇには、接着層８ａ及び他方のベースフィルム８ｂが存在せず、底面として導電層８ｃの一部が露出されている。先端凹部８ｇの形成により露出された導電層８ｃの一部は、配線板９に接続される端子部８ｅとして設けられている。
【００４２】
面状発光体８に先端凹部８ｇが形成されている場合には、接続部１２が先端凹部８ｇに位置され、接続部１２を介して端子部８ｅと接続端子部９ａが接続される。また、固定部１４は、先端凹部８ｂにおける接続部１２より面状発光体８の外周面側に位置され、配線板９の一部を面状発光体８に接合して固定する。
【００４３】
このように先端凹部８ｇが形成された場合には、接合部９ｆが設けられていない。従って、接合部９ｆによって配線板９の一端部９ｘと被規制部９ｚの連続する部分が屈曲されることがなく、配線板９に対する負荷を低減することができる。
【００４４】
＜変位規制部の第１の変形例＞
上記には、変位規制部１３として配線板９を面状発光体８に固定する固定部１４が設けられ、固定部１４として接着剤が用いられた例を示したが、固定部１４は以下に示す第１の変形例として固定部材１５であってもよい。
【００４５】
固定部１４としては、例えば、固定ピンやネジ等の固定部材１５が用いられていてもよい（図４参照）。この場合には、面状発光体８と配線板９にそれぞれ固定部材１５が挿通される挿通孔１６、１７が形成され、固定部材１５が挿通孔１６、１７に挿通され熱カシメ等が行われることで配線板９が面状発光体８に固定される。従って、配線板９が剥離方向Ｘに変位された場合においても、固定部材１５によって接続端子部９ａの接続部１２からの剥がれを防止することができる。
【００４６】
尚、図４においては、面状発光体８に凹部８ｄが形成され、挿通孔１６が接合部８ｆに形成されている例を示したが、面状発光体８には凹部８ｄに代えて先端凹部８ｇが形成されていてもよい。
【００４７】
また、上記には、固定部１４としての固定部材１５が単一の部材として設けられた例（図４参照）を示したが、固定部材１５は単一の部材に限られることなく、例えば、ホルダーやインナーレンズや保持体等の他の部材の一部として設けられていてもよい（図５参照）。固定部材１５は、例えば、第１の保持体１０の第１の突出部１０ｂから前方に突出されて設けられていてもよい。
【００４８】
この場合には、固定部材１５が他の部材の一部として設けられるため専用の固定部材１５を設ける必要がなく、インナーレンズや保持体等の他の部材がそれぞれ光透過機能や保持機能等に加えて固定部１４による配線板９の変位規制機能を有することで、機能性が向上される。
【００４９】
尚、上記には、一つの固定部１４が用いられた例（図４参照）を示したが、灯具１に複数の固定部１４が設けられていてもよい。
【００５０】
例えば、複数の固定部１４として二つの固定部材１５、１５が用いられ、固定部材１５、１５が接続端子部９ａの両側に位置されていてもよい（図６参照）。
【００５１】
この場合には、例えば、面状発光体８に先端凹部８ｇが形成され、面状発光体８の一方のベースフィルム８ｂに上下に離隔して位置された図示しない挿通孔が形成されている。配線板９の一端部９ｘにはそれぞれ上下方向に突出された突出部９ｃ、９ｃが設けられ、突出部９ｃ、９ｃには図示しない挿通孔が形成されている。
【００５２】
上記した構成において、固定部材１５、１５がベースフィルム８ｂと突出部９ｃ、９ｃの各挿通孔に挿通され熱カシメ等が行われることで、配線板９が面状発光体８に固定される。従って、配線板９が剥離方向Ｘに変位された場合においても、固定部材１５、１５によって接続端子部９ａの接続部１２からの剥がれを防止することができる。
【００５３】
また、接続端子部９ａと接続部１２が上下方向において二つの固定部材１５、１５の間に位置されることで、配線板９に上下両端部が接続部１２から前方へめくれ上がる力が生じた場合においても、固定部材１５、１５によって接続端子部９ａの接続部１２からの剥がれを防止することができる。
【００５４】
＜変位規制部の第２の変形例＞
上記には、変位規制部１３として配線板９を面状発光体８に固定する固定部１４が用いられた例を示したが、変位規制部１３は以下に示す第２の変形例として押当部１８が用いられていてもよい（図７参照）。
【００５５】
押当部１８は、例えば、第２の保持体１１の一部として設けられ、第２の突出部１１ｂから第１の突出部１０ｂ側に突出されて設けられている。
【００５６】
面状発光体８には左右方向における一端部から側方に突出された突状部８ｉが設けられている。突状部８ｉには先端凹部８ｇが形成され、先端凹部８ｇに位置された端子部８ｅに接続部１２を介して配線板９の接続端子部９ａが接続されている。
【００５７】
面状発光体８が第１の挟持部１０ａと第２の挟持部１１ａに挟持され、配線板９の他端部９ｙが配置空間Ｓに配置された状態において、配線板９の一端部９ｘは、厚み方向における一方の面が接続部１２に接続されている。
【００５８】
この状態において、配線板９の被規制部９ｚは厚み方向における一方の面が接続部１２に接続され、厚み方向における他方の面が押当部１８に押し当てられている。このように配線板９は接続部１２に接続された面と反対側の面が押当部１８に押し当てられるため、配線板９の剥離方向Ｘへの変位が抑制され、配線板９の接続部１２からの剥がれを抑制することができる。
【００５９】
また、配線板９の被規制部９ｚが第１の突出部１０ｂと押当部１８に挟持されているため、配線板９の剥離方向Ｘへの変位が規制され、配線板９の接続部１２からの剥がれを防止することができる。
【００６０】
さらに、押当部１８が配線板９の一端部９ｘと他端部９ｙの間に位置された被規制部９ｚに押し当てられることで、配線板９の他端部９ｙが剥離方向Ｘに変位された場合においても、押当部１８によって配線板９の一端部９ｘの剥離方向Ｘへの変位が効果的に規制され、配線板９の一端部９ｘを接続部１２から剥がれ難くすることができる。
【００６１】
尚、上記には押当部１８が第２の保持体１１の一部として設けられている例を示したが、押当部１８は、例えば、第１の保持体１０やインナーレンズ等の灯室５に配置される他の部材の一部として設けられていてもよい。
【００６２】
さらに、押当部１８は、例えば、バネ等の付勢部材などの単一の部材として設けられていてもよい。
【００６３】
また、第１の保持体１０には、第２の保持体１１側に突出された保護壁部１９、１９が設けられていてもよい（図８参照）。保護壁部１９、１９は、例えば、第１の挟持部１０ａの左右方向における一端部に上下に離隔して位置され、それぞれ突状部８ｉと配線板９の一端部９ｘの上下に位置される。従って、突状部８ｉの先端凹部８ｇに位置された接続部１２が保護壁部１９、１９によって保護されると共に配線板９の上下方向への変位が規制されるため、面状発光体８と配線板９を接続する接続構造が保護されて、面状発光体８と配線板９の安定した接続状態を確保することができる
【００６４】
保護壁部１９、１９は、第１の保持体１０の一部として設けられる構成に限られず、第２の保持体１１やインナーレンズ等の配線板９が配置される他の部材の一部として設けられていてもよい。
【００６５】
尚、上記には、保護壁部１９、１９が設けられた例において、先端凹部８ｇに代えて凹部８ｄが形成されていてもよい。また、突状部８ｉが設けられることなく、面状発光体８の左右方向における一端部に凹部８ｄまたは先端凹部８ｇが形成されていてもよい。
【００６６】
＜面状発光体の適用例＞
上記には、面状発光体８として複数の発光ダイオードが配置された屈曲可能なフィルム状の発光体が用いられた例を示したが、面状発光体は上記の例に限られない。例えば、本発明に係る面状発光体は、以下に示す、自発光する有機ＥＬ（Electro Luminescence）層を有する板状の面状発光体２０に適用されてもよい（図９及び図１０参照）。
【００６７】
面状発光体２０は、例えば、 略矩形状に形成されたガラス基板である透明基板２１と、透明基板２１に積層された発光層２２と、発光層２２を挟んで透明基板２１と反対側に位置された封止基板２３とを有している。透明基板２１の一端部には後方に突出された接合部２１ａが設けられている。面状発光体２０は、発光層２２から出射された光が透明基板２１を透過する構成にされ、後面が出光面として形成されている。但し、面状発光体２０においては、封止基板２３が透明にされ、前面と後面の双方が出光面として形成されていてもよい。
【００６８】
封止基板２３は発光層２２が積層された領域より一回り大きく形成されている。封止基板２３の外周部は接着剤等の基板接合部２４を介して透明基板２１に接合されている。
【００６９】
面状発光体２０には、少なくとも前方に開口された基板凹部２０ａが形成されている。基板凹部２０ａは、基板接合部２４と接合部２１ａの間に位置されている。基板凹部２０ａには発光層２２及び封止基板２３が存在しない。
【００７０】
発光層２２は、透明基板２１と封止基板２３と基板接合部２４によって形成された封止空間Ｓに封止されている。発光層２２の積層方向における両側には、電極層２５、２５が形成されている。電極層２５、２５は一端部を除いて面状発光体２０の厚み方向において離隔して位置され、例えば、透明基板２１側に位置された電極層２５が陽極２６として設けられ、封止基板２３側に位置された電極層２５が陰極２７として設けられている。陰極２７は一部を除いて陽極２６よりも前方に位置されている。
【００７１】
陽極２６は一端部が配線板９に接続される端子部２６ａとして設けられ、端子部２６ａが基板凹部２０ａに位置されている。陰極２７は一端部が配線板９に接続される端子部２７ａとして設けられ、端子部２７ａが基板凹部２０ａに位置されている。端子部２６ａと端子部２７ａは上下方向に離隔して位置されている（図１０参照）。
【００７２】
このように基板凹部２０ａが形成された場合には、接続部１２、１２が基板凹部２０ａに位置され、接続部１２、１２を介して端子部２６ａ、２７ａと接続端子部９ａ、９ａが接続される。また、固定部１４（変位規制部１３）は接合部２１ａに位置され、配線板９の被規制部９ｚを面状発光体２０に接合して固定する。
【００７３】
上記のように、面状発光体８に代えて面状発光体２０を用いた場合においても、変位規制部１３が設けられることで、配線板９の剥離方向Ｘ（Ｘ１，Ｘ２）への変位が規制され、配線板９が接続部１２から剥がれ難くされている。従って、面状発光体２０と配線板９の安定した接続状態を確保することができる。
【００７４】
また、配線板９が面状発光体２０に接続された状態において、接続部１２は面状発光体２０の基板凹部２０ａに位置されている。従って、接続部１２が基板凹部２０ａを形成する壁面によって保護されるため、面状発光体２０と配線板９を接続する接続構造が保護されて、面状発光体２０と配線板９の安定した接続状態を確保することができる。
【００７５】
尚、上記には、接合部２１ａが透明基板２１の一部として設けられた例を示したが、接合部は透明基板２１とは別の部材であってもよい。このように接合部が別の部材である場合には、透明基板２１の構造が簡素化され、透明基板２１を容易に製造することができる。
【００７６】
また、上記には、接合部２１ａが設けられた例を示したが、接合部２１ａが設けられていなくてもよい。この場合には、例えば、固定部１４が透明基板２１上に位置されるため、接合部２１ａによって配線板９の一端部９ｘと被規制部９ｚの連続する部分が屈曲されることがなく、配線板９に対する負荷を低減することができる。
【符号の説明】
【００７７】
１…灯具、８…面状発光体、８ｄ…凹部、８ｅ…端子部、８ｆ…接合部、９…配線板、９ａ…接続端子部、９ｘ…一端部、９ｙ…他端部、９ｚ…被規制部、１０…第１の保持体、１１…第２の保持体、１２…接続部、１３…変位規制部、１４…固定部、１５…固定部材、１８…押当部、１９…保護壁部、２０…面状発光体、２０ａ…基板凹部
【図１】
2019073868.tif 000003
【図２】
2019073868.tif 000004
【図３】
2019073868.tif 000005
【図４】
2019073868.tif 000006
【図５】
2019073868.tif 000007
【図６】
2019073868.tif 000008
【図７】
2019073868.tif 000009
【図８】
2019073868.tif 000010
【図９】
2019073868.tif 000011
【図１０】
2019073868.tif 000012
【国際調査報告】
2019073868.tif 000013
2019073868.tif 000014
2019073868.tif 000015
2019073868.tif 000016
2019073868.tif 000017